(57)【要約】      （修正有）【課題】誰もが手軽に利用することができる簡易岩盤浴装置を提供する。【解決手段】簡易岩盤浴装置１０は、床部１１と、この床部１１の左右縁から立ち上げた側壁２０、２０と、床部１１の奥縁から立ち上げた奥壁３０と、上部開口３２の全て及び前部開口３４の上半分を塞ぐスクリーンシャッタ４０と、を基本構成要素とし、一人の利用者が入ることのできる、幅１ｍ、高さ０．６ｍ、長さ２．１ｍｍ程度の大きさの横長箱体である。【選択図】図１
0003104050.tif 000002
【実用新案登録請求の範囲】
【請求項１】
運搬可能であって、一人の利用者が入ることのできる箱体で構成した簡易岩盤浴装置であって、
前記箱体を構成する床部及び／又は側壁に、ラジウム線を放射するラジウム鉱石を内蔵すると共に、箱内空間を４０℃前後に保つ加熱手段を内蔵し、前記床部の上表面を、岩盤床材で覆ったことを特徴とする簡易岩盤浴装置。
【請求項２】
前記箱体は、利用者が寝た状態で使用する横長箱体であって、箱体を構成する６面のうち、上面及び前面は開口し、これらの開口をスクリーンシャッタで塞ぐようにしたことを特徴とする請求項１記載の簡易岩盤浴装置。
【請求項３】
前記スクリーンシャッタは、上部開口の全て及び前面開口の上半分を塞ぐものであって、前面開口の下半分は常時開口とするようにしたことを特徴とする請求項２記載の簡易岩盤浴装置。
【請求項４】
前記箱体は、利用者が立ったまま若しくは椅子に座った状態で使用する縦長箱体であって、箱体を構成する６面のうち、前面を開口し、この開口を開閉可能なドアで塞ぐようにしたことを特徴とする請求項１記載の簡易岩盤浴装置。
【考案の詳細な説明】
【技術分野】
【０００１】
本考案は、持ち運び可能な簡易岩盤浴装置に関するものである。
【背景技術】
【０００２】
医療行為の一つに、放射線を患部へ照射することが知られている（例えば、特許文献１参照。）。
【特許文献１】特開２００２−３２５８５４公報（図１）
【０００３】
特許文献１に示されるとおりに、放射線治療装置は、大規模な病院に設置されるもので、大型で且つ高価な装置である。そのため、家庭やホテルに設備することは困難である。
【０００４】
安価で且つ小型である類似施設が提案されている（例えば、特許文献２参照。）。
【特許文献２】特開２００２−３５０７８公報（図１）
【０００５】
特許文献２は、その請求項１によれば、地上へラジウム線を放射する岩盤と、この岩盤に載せた砂又は砂利と、この砂又は砂利に埋設した空気供給管と、砂又は砂利に被せた玉石と、この玉石に埋設した温水管と、からなるラジウム放射線温浴施設である。
【０００６】
しかし、地上へラジウム線を照射する岩盤は、我が国では玉川温泉、増富温泉など、極く限られた場所にだけ存在し、発明はその場所で実施することになるため、交通費、宿泊費などの費用が嵩み、誰もが手軽に放射線温浴を受けることは、困難である。
【考案の開示】
【考案が解決しようとする課題】
【０００７】
本考案は、誰もが手軽に利用することができる簡易岩盤浴装置を提供することを課題とする。
【課題を解決するための手段】
【０００８】
請求項１に係る考案は、運搬可能であって、一人の利用者が入ることのできる箱体で構成した簡易岩盤浴装置であって、前記箱体を構成する床部及び／又は側壁に、ラジウム線を放射するラジウム鉱石を内蔵すると共に、箱内空間を４０℃前後に保つ加熱手段を内蔵し、床部の上表面を、岩盤床材で覆ったことを特徴とする。
【０００９】
請求項２に係る考案では、箱体は、利用者が寝た状態で使用する横長箱体であって、箱体を構成する６面のうち、上面及び前面は開口し、これらの開口をスクリーンシャッタで塞ぐようにしたことを特徴とする。
【００１０】
請求項３に係る考案では、スクリーンシャッタは、上部開口の全て及び前面開口の上半分を塞ぐものであって、前面開口の下半分は常時開口とするようにしたことを特徴とする。
【００１１】
請求項４に係る考案では、箱体は、利用者が立ったまま若しくは椅子に座った状態で使用する縦長箱体であって、箱体を構成する６面のうち、前面を開口し、この開口を開閉可能なドアで塞ぐようにしたことを特徴とする。
【考案の効果】
【００１２】
請求項１に係る考案では、装置を一人用にして、簡易岩盤浴装置の大きさ及び重量を抑え、運搬可能にした。運搬可能であるため、家庭やホテルなどの居室に容易に設置することができる。不用になれば、簡単に撤去することができる。
そして、ラジウム鉱石を内蔵したので、ラジウム線を利用者の身体へ照射させることができる。
【００１３】
箱内温度が約４０℃であるため、発汗により汗が床部に落ちる。しかし床部の上表面が、岩盤床材であるから、汗は溜まることなく蒸発する。岩盤床材は、汗が滲み込む心配がないので、清掃が容易である。
したがって、請求項１の簡易岩盤浴装置によれば、家庭などで手軽にラジウム線を浴びることができる。
【００１４】
請求項２に係る考案では、箱体を構成する６面のうち、上面及び前面は開口し、これらの開口をスクリーンシャッタで塞ぐようにした。利用者は前面から床部へ入り、座り、寝ることができる。そして、寝ながらスクリーンシャッタを閉じることができる。
【００１５】
箱体が横長であるにも拘わらず、上面が開放可能であるため、使い勝手が良好となる。加えて、横長であるため、床部の平面積を稼ぐことができ、人体に対するラジウム線の照射面積を増大することができる。
【００１６】
請求項３に係る考案では、前面開口の下半分は常時開口とするようにした。常時開口から外気を取り入れることができる。一方、前面開口の上半分は閉じることができるので、熱気の逃げを抑えることができる。
【００１７】
請求項４に係る考案では、利用者が立ったまま若しくは椅子に座った状態で使用することができ、寝起き動作が不自由な利用者に好適である。また、箱体が縦長であるため、床面積が小さくなり、居室の床面を狭めること無く、居室の隅などに容易に設置することができる。
【考案を実施するための最良の形態】
【００１８】
本考案を実施するための最良の形態を添付図に基づいて以下に説明する。なお、図面は符号の向きに見るものとする。
図１は本考案に係る簡易岩盤浴装置の斜視図であり、簡易岩盤浴装置１０は、床部１１と、この床部１１の左右縁から立ち上げた側壁２０、２０と、床部１１の奥縁から立ち上げた奥壁３０と、上部開口３２の全て及び前部開口３４の上半分を塞ぐスクリーンシャッタ４０と、を基本構成要素とし、一人の利用者が入ることのできる、幅１ｍ、高さ０．６ｍ、長さ２．１ｍｍ程度の大きさの横長箱体である。
【００１９】
詳細構造は後述するが、全体的に木材を使用し、そこに岩盤、鉱石、鋼製タンクを介在させたため、全重量（ただし、タンクは空にした乾燥重量）は約８０ｋｇであり、複数人で運搬可能なユニットである。
【００２０】
なお、スクリーンシャッタ４０は、帯状の樹脂シート４１と、この樹脂シート４１の基部を奥壁３０の上に止める止め金具４２、４２と、樹脂シート４１の先端に設けた巻き芯棒４３とからなり、掛け軸と同様に巻き芯棒４３を中心にして樹脂シート４１を巻き上げることができる。
４４、４４は、前部開口３４の左右に設けた棒受け具であり、巻き芯棒４３の両端を載せることのできるフックである。
【００２１】
図２は本考案に係る簡易岩盤浴装置の長手断面図であり、床部１１は、複数の層（詳細後述）で構成し、また、側壁２０の前辺（図では左の縦辺）は傾斜辺とし、その途中に棒受け具４４を取付けたことを示す。
【００２２】
図３は本考案に係る簡易岩盤浴装置の横断面図であり、左右の側壁２０、２０も複数の層（詳細後述）で構成したことを示す。
【００２３】
図４は図３の４部拡大図であり、床部１１は、鋼製フレーム１２に、保温材１３を載せ、この保温材１３に加熱手段としての面状電気ヒータ１４を載せ、この面状電気ヒータ１４に加熱手段としての鋼製温水タンク１５を載せ、この鋼製温水タンク１５に鉱石入り容器１６を載せ、この鉱石入り容器１６に木板１７を載せ、この木板１７に薄い岩盤床材１８を貼ってなる。
【００２４】
面状電気ヒータ１４で鋼製温水タンク１５中の水を湯に変換し、この湯で箱内を加熱し、保温する。
温水タンク１５で人体を温める方が、電気ヒータで直接温めるよりも、穏やかである、即ち人に優しいと言われている。したがって、本例では、加熱手段は、鋼製温水タンク１５と、この温水タンク１５を温める面状電気ヒータ１４とで構成した。
これで、床部１１の上表面を均一に温めることができる。
【００２５】
しかし、装置の軽量化、小型化を図ることを目的に、加熱手段を面状電気ヒータ１４のみ、又は鋼製温水タンク１５（別途、給湯器で適温の温水を供給することを前提とする。）のみにすることは差し支えない。
【００２６】
鋼製フレーム１２は、強度メンバーであり、運搬時に変形しない程度の剛性が必要であるが、２〜３ｍｍ厚さで十分である。
保温材１３は、発泡プラスチックが好適であり、厚いほど保温性が期待できるが、２０〜４０ｍｍで十分である。
【００２７】
温水ヒータ１４は、腐食に強いステンレスで構成することが望ましい。
鉱石入り容器１６は、可撓性樹脂容器若しくは金属板容器に、自然ラジウム鉱石粒（又は粉末）と、遠赤外線をよく放射する鉱石粒（又は粉末）と、その他の粉末を充填してなる。
【００２８】
木板１７は、３０〜４０ｍｍ厚さの檜、松、杉などの木質建材（合板を含む）である。
岩盤床材１８は、浴室床の仕上げに採用される人工石板が好適であり、厚さは５ｍｍで十分である。なお、モルタルで代用することもできる。
【００２９】
側壁２０は、鋼製フレーム１２の端部に、載せる木製下縁材２１と、この木製下縁材２１に切り込んだ２条の溝２２、２２に上から差し込む木製内壁材２３及び木製外壁材２４と、これらの壁材２３、２４間に介在させる保温材２５、面状温度ヒータ２６及び温水タンク２７と、２枚の壁材２３、２４の上端に差し込む２条の溝２８、２８を有する木製上縁材２９とからなる。
【００３０】
木製内壁材２３及び木製外壁材２４は、強度部材兼外観部材であるが、各々１２ｍｍ程度の厚さの木板（含む合板）であればよい。
保温材２５、面状温度ヒータ２６及び温水タンク２７は、床部１１で採用した保温材１３、面状温度ヒータ１４及び温水タンク１５と同様であるから、詳細な説明は省略する。
【００３１】
側壁２０には鉱石入り容器１６を設けなかった。しかし、鉱石入り容器１６を側壁２０に内蔵することは差し支えない。
したがって、鉱石入り容器１６は、床部１１のみに内蔵すること、側壁２０のみに内蔵すること、又は床部１１と側壁２０との両方に内蔵すること、の何れであっても良い。ただし、軽量化、小型化を目的とするならば、床部１１のみに鉱石入り容器１６を内蔵することが望ましい。
【００３２】
また、本例では、鉱石入り容器１６にラジウム鉱石などの粉末を充填するようにしたが、ラジウム鉱石粉末と他の鉱石粉末と共に焼き固めて石版にしてもよい。
【００３３】
この場合は、床部１１は、鋼製フレーム１２、保温材１３、加熱手段、ラジウム鉱石を含む石版の層構成とすることが可能となる。この層構成には、木板１７及び薄い岩盤床材１８が不要となる。すなわち、ラジウム鉱石を含む石版で、薄い岩盤床材を兼用した。
【００３４】
以上の構成からなる簡易岩盤浴装置の作用を次に説明する。
図４において、温水タンク１５、２７に水又はお湯を満たし、面状電気ヒータ１４、２６で加熱・保温し、浴装置内部の温度が３８℃〜４２℃の範囲になるように制御する。無論、浴装置内部の温度は、利用者の好みにより調整することができる。
【００３５】
図５は本考案の簡易岩盤浴装置の作用図である。
（ａ）のごとく、利用者Ｍは、簡易岩盤浴装置１０に入る。このときには、上部開口３２及び前部開口３４はフルに開いているため、利用者Ｍは、立ったままで前部開口３４から床部１１へ入り、床部１１に座ることができる。次に、樹脂シート４１を奥壁３０から前部開口３４へ引く。
【００３６】
（ｂ）では、スクリーンシャッタの巻き芯棒４３を棒受け具４４に掛け、利用者Ｍが床部１１に寝ている状態を示す。１回の利用は３０分程度である。
ここで重要なことは、前部開口３４の下半分が常時開いていることである。この常時開口３６を通じて、新鮮な空気を取り込むことができる。また、常時開口３６は利用者Ｍの頭の近傍に開いているため、外から利用者Ｍの頭を容易に観察することができる。利用者Ｍに身体的異常があっても外からそのことを簡単に発見することができる。
【００３７】
一方、浴装置１０内部の熱は上昇するため、前部開口３４の上半分を閉じることで、熱気の逃げを抑えることができる。この結果、供給する電気エネルギーを節約することができる。
【００３８】
また、本考案の浴装置１０は、家庭の一室やホテルの居室に１基配置することを基本とする。この場合に、上記したとおりに浴装置１０から熱が逃げないため、家庭やホテルの室内温度が異常に上がる心配はなく、好ましい。
【００３９】
（ｂ）における作用を詳細に説明する。
図４において、温水タンク１５で温められたことにより、ラジウム線並びに遠赤外線が利用者へ照射される。この結果、放射線治療と類似した効果が期待できる。
【００４０】
そして、利用者の発汗作用により、汗が床部１１に落ちる。汗は岩盤床材１８に載ると、短時間のうちに蒸発する。床部１１の上表面を木質にすると、吸湿作用でドライ感が損なわれるが、本例のように床部１１の上面を岩盤床材１８にしたことにより、汗の処理を理想的に行うことができる。岩盤床材１８には汗が滲み込まないので、利用後に布や紙で拭くだけで、簡単に清掃することができ、衛生上好ましい構造であると言える。
【００４１】
次に、本考案の別実施例を説明する
図６は縦型の簡易岩盤浴装置の透視図であり、縦型の簡易岩盤浴装置１０Ｂは、１ｍ×１ｍ程度の大きさの床部１１に、左右の側壁２０、２０（手前の壁２０は透視状態）及び奥壁３０を立て、上部に天井４６を渡し、前部を前部開口３４とし、この前部開口３４を、簡単なドア４７で塞ぐようにした、高さ約２ｍの縦長箱体である。
ドア４７は、単純なビニールカーテンでもよいが、浴室ドアで採用される折り戸式ドアや引き戸式ドアであれば、なお良い。
【００４２】
床部１１、側壁２０、２０の構成は、図４で説明したものと同じである。奥壁３０は側壁２０と同構造にすることが望ましい。
この簡易岩盤浴装置１０Ｂでは、利用者Ｍは、立ったまま若しくは椅子に座った状態で利用する。
【００４３】
立ったまま若しくは椅子に座った状態で利用できるので、寝起き動作が不自由な利用者に好適である。また、箱体が縦長であるため、床面積が小さくなり、居室の床面を狭めること無く、居室の隅などに容易に設置することができる。
【００４４】
尚、本考案の簡易岩盤浴装置は、運搬可能であるから、一般家庭の居室、ホテルの客室、老人ホームの居室、病棟の一隅、オフィスの休憩室、スポーツジムの隅など、如何なる場所にも設置できる。しかし、大規模設備よりは、一人使用、個人使用の観点から、一般家庭若しくはホテルの客室に設置することが望ましい。
【産業上の利用可能性】
【００４５】
本考案は、ホテルの居室に設置する岩盤浴装置に好適である。
【図面の簡単な説明】
【００４６】
【図１】本考案に係る簡易岩盤浴装置の斜視図である。
【図２】本考案に係る簡易岩盤浴装置の長手断面図である。
【図３】本考案に係る簡易岩盤浴装置の横断面図である。
【図４】図３の４部拡大図である。
【図５】本考案の簡易岩盤浴装置の作用図である。
【図６】縦型の簡易岩盤浴装置の透視図である。
【符号の説明】
【００４７】
１０…横長の簡易岩盤浴装置、１０Ｂ…縦長の岩盤浴装置、１１…床部、１４、２６…加熱手段（面状電気ヒータ）、１５、２７…加熱手段（鋼製温水タンク）、１６…鉱石入り容器、１８…岩盤床材、２０…側壁、３２…上部開口、３４…前部開口、３６…常時開口、４０…スクリーンシャッタ、４１…樹脂シート、４７…ドア、Ｍ…利用者。
【図１】
0003104050.tif 000003
【図２】
0003104050.tif 000004
【図３】
0003104050.tif 000005
【図４】
0003104050.tif 000006
【図５】
0003104050.tif 000007
【図６】
0003104050.tif 000008